(57)【要約】【課題】エンジン負荷が小さいときでも強制再生を適正に行うことができるディーゼルエンジンの排気ガス浄化システムを提供する。【解決手段】ディーゼルエンジン５０の排気通路１２に設けられて該ディーゼルエンジン５０の排気ガス中の粒子状物質を捕集し、且つ、捕集した該粒子状物質を除去するための触媒を担持したフィルタ１４を備えたディーゼルエンジン５０の排気ガス浄化システムにおいて、前記フィルタ１４の両面間の圧力差を検出するための圧力センサ１６と、該圧力センサ１６を用いて検出された前記圧力差の単位時間当たりの上昇量が所定の値を超えたか否かを判断する圧力差上昇量判断手段１８Ｂと、を備え、前記圧力差の単位時間当たりの上昇量が所定の値を超えたと判断された場合に強制再生を行う。【選択図】図１
2010216311.tif 000002
【特許請求の範囲】
【請求項１】
ディーゼルエンジンの排気通路に設けられて該ディーゼルエンジンの排気ガス中の粒子状物質を捕集し、且つ、捕集した該粒子状物質を除去するための触媒を担持したフィルタを備えたディーゼルエンジンの排気ガス浄化システムにおいて、
前記フィルタの両面間の圧力差を検出するための圧力センサと、
該圧力センサを用いて検出された前記圧力差の単位時間当たりの上昇量が所定の値を超えたか否かを判断する圧力差上昇量判断手段と、を備え、
前記圧力差の単位時間当たりの上昇量が所定の値を超えたと判断された場合に強制再生を行うことを特徴とするディーゼルエンジンの排気ガス浄化システム。
【請求項２】
請求項１において、
前記ディーゼルエンジンは油圧作業機械の油圧ポンプを駆動するエンジンであり、
更に、前記油圧作業機械の操作レバーが中立位置になったか否かを判断する中立位置判断手段を備え、
前記圧力センサを用いて検出された前記圧力差の単位時間当たりの上昇量が所定の値を超えたと判断された後、前記油圧作業機械の操作レバーが中立位置になったと判断された時点で、前記強制再生を開始することを特徴とするディーゼルエンジンの排気ガス浄化システム。
【請求項３】
請求項１または２において、
更に、強制再生を示す表示手段を備え、
該表示手段に強制再生に入ることを事前に表示した上で、前記強制再生を開始することを特徴とするディーゼルエンジンの排気ガス浄化システム。
【発明の詳細な説明】
【技術分野】
【０００１】
本発明は、ディーゼルエンジンの排気ガス浄化システムに関する。
【背景技術】
【０００２】
建設機械等の作業機械においてはディーゼルエンジンが広く用いられているが、ディーゼルエンジンの排気ガス中には粒子状物質（particulate matter）が含まれている。この粒子状物質を捕集するため、フィルタ（Diesel Particulate Filter、ＤＰＦ）が用いられている。
【０００３】
このフィルタには、連続再生式のフィルタがある。連続再生式のフィルタは、粒子状物質を捕集する機能と、捕集した粒子状物質を触媒の作用で酸化除去してフィルタを連続的に再生する機能と、を併せ持っており、例えば多孔質セラミックスに酸化触媒が担持されて構成されている。このため、連続再生式のフィルタに捕集された粒子状物質は、触媒の作用で連続的に酸化除去され、フィルタは自己再生される。
【０００４】
しかしながら、この自己再生は必ずしも常に良好に行われるわけではなく、例えばアイドリング状態のようにエンジン負荷が小さく排気ガス温度が十分に上昇しない場合、自己再生が不十分となり、フィルタには粒子状物質が徐々に堆積してしまう。フィルタへの粒子状物質の堆積量が多くなると、排気ガスがフィルタを通過する際の抵抗が大きくなり、排気系の圧力が上昇してしまい、エンジンの本来の性能が得られなくなる。
【０００５】
そこで、フィルタの両面間の圧力差を監視し、該圧力差が所定の値を超えると、フィルタに堆積した粒子状物質を強制的に除去する強制再生をなす技術が提案されている（例えば、特許文献１）。
【０００６】
強制再生は、例えば、通常の燃料噴射時期（圧縮行程の上死点付近）とは別に、排気弁が閉止する直前に気筒内の燃焼室へ燃料噴射を行うポスト噴射（後噴射）をすることによりなされる。ポスト噴射（後噴射）により供給された燃料は、未燃のまま燃焼室外に排出され、酸化触媒に供給されて酸化（燃焼）する。このときの酸化反応熱によりフィルタの温度が上昇し、フィルタに捕集された粒子状物質が燃焼除去されて、フィルタが再生する。
【先行技術文献】
【特許文献】
【０００７】
【特許文献１】特開平４−６６７１７号公報
【発明の概要】
【発明が解決しようとする課題】
【０００８】
しかしながら、エンジン負荷の小さい軽作業時においては、フィルタの両面間の圧力差を監視し、該圧力差が所定の値を超えたときに強制再生を行う場合、長時間にわたる強制再生が必要となってしまうことがあった。ポスト噴射を伴う強制再生を長時間にわたって行うと、燃料を余計に消費して燃費が悪くなるだけでなく、エンジンオイルが早期に劣化してしまう。
【０００９】
また、エンジン負荷の小さい軽作業時に強制再生を行う場合、エンジン負荷が軽く排気ガス温度が十分上昇せず、フィルタへ堆積した粒子状物質の燃焼除去を完全に行うことが困難となることから、一旦作業を中断して強制再生のためのディーゼルエンジンの高負荷運転をしつつポスト噴射を行って強制再生を行うことが必要となってしまう場合があった。
【００１０】
本発明は、かかる問題点に鑑みてなされたものであって、エンジン負荷が小さいときでも強制再生を適正に行うことができるディーゼルエンジンの排気ガス浄化システムを提供することを課題とする。
【課題を解決するための手段】
【００１１】
本発明は、ディーゼルエンジンの排気通路に設けられて該ディーゼルエンジンの排気ガス中の粒子状物質を捕集し、且つ、捕集した該粒子状物質を除去するための触媒を担持したフィルタを備えたディーゼルエンジンの排気ガス浄化システムにおいて、前記フィルタの両面間の圧力差を検出するための圧力センサと、該圧力センサを用いて検出された前記圧力差の単位時間当たりの上昇量が所定の値を超えたか否かを判断する圧力差上昇量判断手段と、を備え、前記圧力差の単位時間当たりの上昇量が所定の値を超えたと判断された場合に強制再生を行うことにより、前記課題を解決したものである。
【００１２】
エンジン負荷の小さい軽作業時やアイドリング時は、排気ガス温度が低いため、粒子状物質のフィルタへの堆積が進みやすく、且つ、強制再生を行ってもその効果が顕われにくい。加えて、ディーゼルエンジンから排出される排気ガス量が少ないため、粒子状物質のフィルタへの堆積量がかなり多くなってもフィルタの両面間の圧力差は所定の値に達しない。このため、エンジン負荷の小さい軽作業時やアイドリング時は、粒子状物質のフィルタへの堆積量が過大になりやすく、一旦作業を中断して、強制再生のためのディーゼルエンジンの高負荷運転をしつつポスト噴射を行って強制再生を行うことが必要となってしまうことも多々ある。しかし、エンジン軽負荷時の強制再生の開始を早めるために、フィルタの両面間の圧力差の閾値を単に小さくすると、堆積量が多くないときでもエンジン負荷の大きい作業時にはすぐに閾値に達してしまい、頻繁に強制再生がなされてしまう。
【００１３】
本発明では、前記フィルタの両面間の圧力差の単位時間当たりの上昇量が所定の値を超えた場合に強制再生を行う。これは、フィルタの両面間の圧力差は、粒子状物質の堆積量がある程度多くなってきたある時点からその単位時間当たりの上昇量が大きくなる傾向があり、且つこの定性的傾向は、排気ガス量が多いときでも少ないときでも大きくは変わらないという新たな知見に基づいている。即ち、強制再生を開始するための条件を、フィルタの両面間の圧力差の単位時間当たりの上昇量が所定の値を超えたときとすることにより、エンジン負荷の小さい軽作業時やアイドリング時であっても、粒子状物質のフィルタへの堆積量が過大になる前に強制再生を行うことが可能となり、燃料の余計な消費およびエンジンオイルの早期劣化といった強制再生を行うことによる問題を低減させることができる。また、（強制再生の効果の得にくい）軽作業中であっても、その作業を中断して高負荷運転をして強制再生を行う必要性を低減させることができる。更に、単に圧力差の閾値を低める手法と比べて、エンジン負荷が大きいときに過度に強制再生が行われてしまうという不具合が発生することも低減することができる。
【００１４】
前記ディーゼルエンジンが油圧作業機械の油圧ポンプを駆動するエンジンである場合、更に、前記油圧作業機械の操作レバーが中立位置になったか否かを判断する中立位置判断手段を備えさせて、前記圧力センサを用いて検出された前記圧力差の単位時間当たりの上昇量が所定の値を超えたと判断された後、前記油圧作業機械の操作レバーが中立位置になったと判断された時点で、前記強制再生を開始するように構成してもよい。
【００１５】
また、前記排気ガス浄化システムにおいて、更に、強制再生を示す表示手段を備えさせて、該表示手段に強制再生に入ることを事前に表示した上で、前記強制再生を開始するように構成してもよい。
【発明の効果】
【００１６】
本発明によれば、フィルタの両面間の圧力差の単位時間当たりの上昇量が所定の値を超えたと判断された場合に強制再生を行うので、エンジン負荷が小さいときでも強制再生を適正に行うことができる。
【００１７】
このため、燃料の余計な消費およびエンジンオイルの早期劣化といった強制再生を行うことによる問題を低減させることができる。また、（強制再生の効果の得にくい）軽作業中であっても、その作業を中断して高負荷運転をして強制再生を行う必要性を低減させることができる。更に、単に圧力差の閾値を低める手法と比べて、エンジン負荷が大きいときに過度に強制再生が行われてしまうという不具合が発生することも低減することができる。
【図面の簡単な説明】
【００１８】
【図１】本発明の第１実施形態に係るディーゼルエンジンの排気ガス浄化システムの構成を示す図
【図２】フィルタ１４の両面間の圧力差Ｐと前回の強制再生からのディーゼルエンジン５０の累積作動時間ｔとの関係を模式的に示すグラフ図
【図３】本発明の第２実施形態に係るディーゼルエンジンの排気ガス浄化システムの構成を示す図
【発明を実施するための形態】
【００１９】
以下図面に基づいて、本発明に係るディーゼルエンジンの排気ガス浄化システムの好適な実施形態の例について詳細に説明する。
【００２０】
図１は、本発明の第１実施形態に係るディーゼルエンジンの排気ガス浄化システムの構成を示す図である。
【００２１】
この排気ガス浄化システム１０は、排気通路１２と、フィルタ１４と、圧力センサ１６と、コントローラ１８と、モニタ（表示手段）２０と、を備え、油圧作業機械７０のディーゼルエンジン５０から排出される排気ガスを浄化する。
【００２２】
排気通路１２は、ディーゼルエンジン５０からの排気ガスを排出する通路である。排気通路１２の中途にはフィルタ１４が設けられている。
【００２３】
フィルタ１４は連続再生式のフィルタであり、粒子状物質を捕集する機能と、捕集した粒子状物質を触媒の作用で酸化除去してフィルタを連続的に再生する機能と、を併せ持っており、例えば多孔質セラミックスに酸化触媒が担持されて構成されている。このため、フィルタ１４に捕集された粒子状物質は、フィルタ１４に担持された触媒の作用で連続的に酸化除去され、フィルタ１４は自己再生される。
【００２４】
フィルタ１４の両側（排気ガスの流れの上流側および下流側）の排気通路１２には、それぞれ圧力センサ１６の検出点１６Ａ、１６Ｂが設けられている。
【００２５】
圧力センサ１６は、検出点１６Ａ、１６Ｂの圧力差を検出する。圧力センサ１６が検出した圧力差データは電気信号線３０を介してコントローラ１８に送られる。
【００２６】
モニタ２０は、強制再生が開始されること、あるいは強制再生中であることをオペレータに通告する役割を有し、後述するように、強制再生が開始される前に、画面に「強制再生」の文字を表示する。強制再生が開始される前に、画面に「強制再生」の文字が表示されることにより、オペレータは強制再生が開始されることを予期することができる。
【００２７】
コントローラ１８は、ディーゼルエンジン５０の運転を制御する役割を有し、電気信号線３２を介して燃料噴射制御装置５２に指令を行い、燃料噴射装置５４を制御して、ディーゼルエンジン５０の運転を制御する。また、燃料噴射装置５４を制御して、強制再生の際にポスト噴射を行わせることができるようにもなっている。燃料噴射装置５４はコモンレール式の燃料噴射装置である。
【００２８】
また、コントローラ１８は、圧力差算出部１８Ａと、圧力差上昇量判断部１８Ｂを備えている。圧力差算出部１８Ａは、圧力センサ１６が測定した圧力差データに基づきフィルタ１４の両面間の圧力差（検出点１６Ａ、１６Ｂの圧力差）Ｐを所定時間ごとに算出するとともに、フィルタ１４の両面間の圧力差Ｐの単位時間当たりの上昇量ΔＰ／Δｔを算出する。圧力差上昇量判断部１８Ｂは、フィルタ１４の両面間の圧力差Ｐの単位時間当たりの上昇量ΔＰ／Δｔが所定の値αを超えた（ΔＰ／Δｔ＞α）かどうかを判断する。
【００２９】
ここで、図２に、フィルタ１４の両面間の圧力差Ｐと前回の強制再生からのディーゼルエンジン５０の累積作動時間ｔとの関係を模式的に示す。図２に示すように、フィルタ１４の両面間の圧力差Ｐの単位時間当たりの上昇量はある時点から徐々に大きくなり、その後短い時間で、従来から用いられている強制再生の目安となる圧力差の閾値Ｐ０に達する。この定性的傾向は、ディーゼルエンジン５０が高負荷運転されているときでも低負荷運転されているときでも大きくは変わらない。
【００３０】
一方、ディーゼルエンジン５０が低負荷運転されている時は、ディーゼルエンジン５０から排出される排気ガスの圧力自体が小さいので、フィルタ１４の両面間の圧力差Ｐも大きくなりにくく、圧力差Ｐが閾値Ｐ０に達した時点では、粒子状物質はフィルタ１４に過大に堆積してしまっている。したがって、軽作業時やアイドリング時等のエンジン負荷の小さいときは、フィルタ１４の両面間の圧力差Ｐが閾値Ｐ０に達したかどうかを強制再生開始の条件とする従来の方式では、強制再生開始のタイミングが遅れてしまう。
【００３１】
そこで、本実施形態においては、コントローラ１８は、圧力差算出部１８Ａにおいて、フィルタ１４の両面間の圧力差Ｐを算出した上で、さらにフィルタ１４の両面間の圧力差Ｐの単位時間当たりの上昇量ΔＰ／Δｔを算出するようになっており、圧力差上昇量判断部１８Ｂがフィルタ１４の両面間の圧力差の単位時間当たりの上昇量ΔＰ／Δｔが所定の値αを超えた（ΔＰ／Δｔ＞α）と判断すると、コントローラ１８は、電気信号線３４を介してモニタ２０に電気信号を送り、モニタ２０の画面に「強制再生」の文字を表示させ、その後、電気信号線３２を介して燃料噴射制御装置５２に指令を行い、ポスト噴射を伴う強制再生を行うようにしている。
【００３２】
図２において、時刻ｔn-1における圧力差上昇量は点Ｑn-1における傾きであるΔＰn-1／Δｔn-1＝（Ｐn−Ｐn-1）／（ｔn−ｔn-1）であり、時刻ｔnにおける圧力差上昇量は点Ｑnにおける傾きであるΔＰn／Δｔn＝（Ｐn+1−Ｐn）／（ｔn+1−ｔn）である。ΔＰn-1／Δｔn-1＜αであり、且つ、ΔＰn／Δｔn＞αとすると、時刻ｔnにおいて、フィルタ１４の両面間の圧力差の単位時間当たりの上昇量ΔＰ／Δｔが所定の値αを超えて、強制再生を行う条件が成立したことになり、コントローラ１８は時刻ｔnにおいて強制再生を開始させる。この時点では、粒子状物質のフィルタ１４への堆積は過大となっていない。
【００３３】
したがって、フィルタ１４の両面間の圧力差の単位時間当たりの上昇量ΔＰ／Δｔが所定の値αを超えた段階（ΔＰ／Δｔ＞α）で強制再生を行うことにより、燃焼除去すべき粒子状物質の堆積量が過大となる前の段階で強制再生を行うことができ、強制再生に要する時間は長時間とはならず、ポスト噴射のトータルの回数を減らすことができる。また、ディーゼルエンジン５０による作業が軽作業であったり、ディーゼルエンジン５０がアイドリング状態であって、ディーゼルエンジン５０に加わる負荷が小さく、ポスト噴射を行っても排気ガス温度が十分に上昇しにくい場合であっても、粒子状物質の堆積量が過大となる前の段階なので、エンジン負荷を大きくせずに低負荷運転のままの強制再生により、フィルタ１４に堆積した粒子状物質を十分に燃焼除去し切ることができる。したがって、作業を中断してディーゼルエンジン５０を高負荷運転して強制再生を行う必要はない。
【００３４】
所定の値αは、軽作業時やアイドリング時等のエンジン負荷の小さいときに複数回測定した、図２に示すような累積作動時間ｔ−圧力差Ｐ曲線に基づき設定することができ、例えば、フィルタ１４の両面間の圧力差Ｐが急増を開始する直前のΔＰ／Δｔの値とすることができる。所定の値αは、油圧作業機械７０を用いて実作業を行う前に設定しておく。また、コントローラ１８は、圧力差算出部１８Ａにおいて、圧力センサ１６が測定した圧力差データに基づきフィルタ１４の両面間の圧力差（検出点１６Ａ、１６Ｂの圧力差）Ｐを所定時間ごとに算出するが、この所定時間は一定である必要はなく、例えば、前回の強制再生からのディーゼルエンジン５０の累積作動時間ｔが短い段階では該所定時間を長くし、累積作動時間ｔが長くなってΔＰ／Δｔが大きくなるにつれて該所定時間を短くしてもよい。
【００３５】
なお、本実施形態では、圧力センサ１６により、検出点１６Ａ、１６Ｂの圧力差を検出するように構成しているが、検出点１６Ａ、１６Ｂごとに圧力センサを設け、それぞれの圧力センサによる圧力データをコントローラ１８に送るように構成し、コントローラ１８にて検出点１６Ａ、１６Ｂの圧力差を算出するように構成してもよい。
【００３６】
また、符号６０、６０Ａおよび符号７２〜８６は、油圧作業機械７０の主要な構成要素を示しており、符号６０はリモコンレバー装置であり、符号６０Ａはリモコンレバー装置６０の操作レバーであり、符号７２はディーゼルエンジン５０からの駆動力により作動するメイン油圧ポンプであり、符号７４はレギュレータであり、符号７６、７８、８０は制御弁であり、符号８２、８４、８６は油圧アクチュエータである。油圧作業機械７０を用いて作業を行う際には、ディーゼルエンジン５０を起動してメイン油圧ポンプ７２を駆動するとともに、リモコンレバー装置６０の操作レバー６０Ａにより制御弁７６、７８、８０を操作して油圧アクチュエータ８２、８４、８６を作動させる。
【００３７】
また、図１では、リモコンレバー装置６０を介して供給されるパイロット圧は制御弁８０のみに供給されるように描いているが、これは図示の都合上このようにしているのであり、制御弁７６、７８にもリモコンレバー装置６０を介してパイロット圧が供給されるようになっている。
【００３８】
次に、第１実施形態に係る排気ガス浄化システム１０の作用について説明する。
【００３９】
ディーゼルエンジン５０には、ターボチャージャ（図示せず）により加圧された空気が吸気通路（図示せず）を介して供給されるとともに、燃料噴射装置５４から燃料が供給される。これにより、ディーゼルエンジン５０は作動する。ディーゼルエンジン５０が作動すると、ディーゼルエンジン５０からは排気ガスが排出されるが、この排気ガスは排気通路１２を通って外部に排出される。排気通路１２内にはフィルタ１４が配置されており、排気ガスはフィルタ１４を通過する。
【００４０】
前述のように、ディーゼルエンジン５０から排出される排気ガスには粒子状物質が含まれており、この粒子状物質はフィルタ１４に捕集されてフィルタ１４上に堆積していく。フィルタ１４への粒子状物質の堆積量が多くなると、排気ガスがフィルタ１４を通過する際の抵抗が大きくなり、排気系の圧力が上昇してしまい、ディーゼルエンジン５０の本来の性能が得られなくなる。
【００４１】
そこで、コントローラ１８は、フィルタ１４の両面間の圧力差の単位時間当たりの上昇量ΔＰ／Δｔが所定の値αを超えた段階（ΔＰ／Δｔ＞α）で、電気信号線３４を介してモニタ２０に電気信号を送りモニタ２０に「強制再生」の文字を表示させた後、電気信号線３２を介して燃料噴射制御装置５２に指令を行い、燃料噴射装置５４を制御して、ディーゼルエンジン５０に対してポスト噴射を行う。ポスト噴射を行うことにより、ディーゼルエンジン５０の排気ガスの温度が上昇し、フィルタ１４に堆積した粒子状物質は燃焼除去されていく。
【００４２】
本実施形態では、従来のようにフィルタ１４の両面間の圧力差に基づき強制再生のタイミングを判断するのではなく、フィルタ１４の両面間の圧力差の単位時間当たりの上昇量ΔＰ／Δｔに基づき強制再生のタイミングを判断し、ΔＰ／Δｔが所定の値αを超えた段階（ΔＰ／Δｔ＞α）でポスト噴射を行う。したがって、本実施形態では、軽作業時やアイドリング時等のエンジン負荷の小さいときにおいても、フィルタ１４への粒子状物質の堆積量が過大となる前の段階でポスト噴射を行って強制再生を行うこととなるので、強制再生の時間が長時間にわたることはなくなり、トータルのポスト噴射の回数は従来よりも減少する。これにより、燃料の余計な消費およびエンジンオイルの早期劣化といった強制再生を行うことによる問題を低減させることができる。
【００４３】
また、フィルタ１４への粒子状物質の堆積量が過大となる前の段階で強制再生を行うので、ディーゼルエンジン５０による作業が軽作業であったり、ディーゼルエンジン５０がアイドリング状態であって、ディーゼルエンジン５０に加わる負荷が小さく、ポスト噴射を行っても排気ガス温度が十分に上昇しにくい場合であっても、フィルタ１４に堆積した粒子状物質を十分に燃焼除去し切ることができる。このため、ディーゼルエンジン５０による作業が軽作業であっても、その作業を中断して高負荷運転をして強制再生を行う必要はない。また、軽作業や未操作時間が長い作業のように粒子状物質がフィルタ１４に堆積しやすい作業であっても、ΔＰ／Δｔ＞αとなった際に強制再生が行われるので、粒子状物質がフィルタ１４に過大に堆積する前に強制再生が行われ、フィルタ１４に堆積した粒子状物質を燃焼除去し切ることができ、別途強制再生を行うことが必要となることは少なくなる。
【００４４】
更に、単に圧力差の閾値を低める手法と比べて、エンジン負荷が大きいときに過度に強制再生が行われてしまうという不具合が発生することも低減することができる。
【００４５】
次に、本発明の第２実施形態に係るディーゼルエンジンの排気ガス浄化システム９０について説明する。図３は、第２実施形態に係る排気ガス浄化システム９０の構成を示す図である。第２実施形態に係る排気ガス浄化システム９０において、第１実施形態に係る排気ガス浄化システム１０と同一の構成要素については同一の符号を付し、説明は省略する。
【００４６】
第２実施形態に係る排気ガス浄化システム９０では、リモコンレバー装置６０の操作レバー６０Ａが中立位置になったかどうかを判断する中立位置判断部１８Ｃがコントローラ１８に設けられており、ΔＰ／Δｔ＞αとなった後、まず中立位置判断部１８Ｃが、リモコンレバー装置６０が電気信号線３６を介して送られてくる電気信号に基づき、操作レバー６０Ａが中立位置になったかどうかを判断する。中立位置判断部１８Ｃが操作レバー６０Ａが中立位置になったと判断すると、コントローラ１８は電気信号線３４を介してモニタ２０に電気信号を送りモニタ２０に「強制再生」の文字を表示させる。その後、ポスト噴射を行う指示をコントローラ１８が燃料噴射制御装置５２に送るようにシステムが構成されている。
【００４７】
第２実施形態ではこのように構成されているので、油圧作業機械７０を用いた作業が一旦中断されて操作レバー６０Ａが中立位置となった段階で、ポスト噴射を伴う強制再生が開始される。操作レバー６０Ａが中立位置にあるときは油圧アクチュエータ８２、８４、８６による作業がなされていない。このため、第２実施形態では、油圧アクチュエータ８２、８４、８６による作業中にポスト噴射を伴う強制再生が開始されることがなく、且つ、モニタ２０に「強制再生」の文字が表示されてから強制再生が開始されるので、オペレータの予期せぬときに強制再生が開始されることがない。
【００４８】
以上、本発明に係る第１および第２実施形態について説明したが、どちらの実施形態においても、モニタ２０に「強制再生」の文字が表示されて強制再生が開始された状態において、油圧アクチュエータ８２、８４、８６による作業を行うことができるように構成されている。モニタ２０に「強制再生」の文字が表示されている場合、オペレータは強制再生がなされていることを認識した上で油圧アクチュエータ８２、８４、８６による作業を行うので、強制再生がなされていても円滑に作業を進めやすい。
【００４９】
また、どちらの実施形態においても、強制再生の手法はポスト噴射を伴うものに限定されず、ポスト噴射を伴わない強制再生であってもよい。
【００５０】
また、どちらの実施形態においても、フィルタ１４の両面間の圧力差Ｐの単位時間当たりの上昇量が所定の値を超えたかどうかを圧力差上昇量判断部１８Ｂで判断して、強制再生開始の条件としているが、圧力差Ｐが所定の値を超えたかどうかを強制再生開始の条件として併用してもよい。
【００５１】
また、どちらの実施形態においても、強制再生開始の条件が成立した場合に、そのことをオペレータに警告する警告手段を設けてもよい。さらに、該警告手段により警告を受けたオペレータが手動で強制再生を開始できるように、そのための手段（例えば強制再生開始ボタン）を設けてもよい。
【産業上の利用可能性】
【００５２】
例えば、ディーゼルエンジンが用いられた建設用の作業機械に好適に用いることができる。
【符号の説明】
【００５３】
１０、９０…排気ガス浄化システム
１２…排気通路
１４…フィルタ
１６…圧力センサ
１８…コントローラ
１８Ａ…圧力差算出部
１８Ｂ…圧力差上昇量判断部
１８Ｃ…中立位置判断部
２０…モニタ（表示手段）
３０、３２、３４、３６…電気信号線
５０…ディーゼルエンジン
５２…燃料噴射制御装置
５４…燃料噴射装置
６０…リモコンレバー装置
６０Ａ…操作レバー
７０…油圧作業機械
Ｐ…フィルタ１４の両面間の圧力差
ｔ…前回の強制再生からの累積作動時間
【図１】
2010216311.tif 000003
【図２】
2010216311.tif 000004
【図３】
2010216311.tif 000005